(57)【要約】      （修正有）【課題】蓋つき折りたたみボックス型小物入れの底材にバンドまたは手袋の装着部体をつけて、片手ですばやく小物を出し入れでき、装着して邪魔にならない装着可能な蓋つき折りたたみボックス型小物入れを提供する。【解決手段】四角形の底材２の４辺に互いに繋がった蓋材３、一対の側面材４および正面材５がそれぞれ一体に連結されており、蓋材３が底材２に対して起立した状態にあるときには一対の側面材４及び正面材５も底材３に対して起立した状態にあり、蓋材３を倒して底材２と平行に近づけるとそれにつられて一対の側面材４及び正面材５が側面材４の折り目に合わせて内側に折れ蓋材３と底材２の間に折りたためる蓋つき折りたたみボックス型小物入れ１の底材２外側に、バンド８ａまたは手袋の装着部体１７をつけたことを特徴とする。【選択図】図１
0003200902.tif 000002
【実用新案登録請求の範囲】
【請求項１】
本考案は、四角形の底材（２）の４辺に互いに繋がった蓋材（３）、一対の側面材（４）および正面材（５）がそれぞれ一体に連結されており、蓋材（３）が底材（２）に対して起立した状態にあるときには一対の側面材（４）及び正面材（５）も底材（２）に対して起立した状態にあり、蓋材（３）を倒して底材（２）と平行に近づけるとそれにつられて一対の側面材（４）及び正面材（５）が側面材（４）の折り目に合わせて内側に折れ蓋材（３）と底材（２）の間に折りたたまり蓋材（３）と正面材（５）が重なる面に１組の着脱具（６）をつけた蓋つき折りたたみボックス型小物入れ（１）の底材（２）外側に、１組の着脱具（７ａ）をつけたバンド（８ａ）をつけたことを特徴とする装着可能な蓋つき折りたたみボックス型小物入れ。
【請求項２】
請求項１記載の蓋つき折りたたみボックス型小物入れ（１）の底材（２）外側に、輪状バンド（９ａ）をつけたことを特徴とする装着可能な蓋つき折りたたみボックス型小物入れ。
【請求項３】
請求項１記載の蓋つき折りたたみボックス型小物入れ（１）の底材（２）外側に、手袋（１３）をつけたことを特徴とする装着可能な蓋つき折りたたみボックス型小物入れ。
【考案の詳細な説明】
【技術分野】
【０００１】
この考案は、蓋つき折りたたみボックス型小物入れの底材にバンドまたは手袋の装着部体をつけて、片手ですばやく小物を出し入れでき、装着して邪魔にならない装着可能な蓋つき折りたたみボックス型小物入れに関するものである。
【背景技術】
【０００２】
従来の蓋つき折りたたみボックス型小物入れは、カバンや服のポケット等に入れて携帯しているために、小物入れを探して手に取るまで手間がかかる上に、小物を出し入れするには両手を使っていた。（例えば特許文献２参照）
【０００３】
なお、似ているアイデアを調べてみたら、バンドつきのボックスがあるが、常に装着して持ち運びできる大きさではなかった。（例えば特許文献１参照）また、バンドつき財布は、お金やカードに限られていて、中に残物が付着する小物は入れることができなかった。（例えば特許文献３、特許文献４参照）
【先行技術文献】
【特許文献】
【０００４】
【特許文献１】実開  昭６３−１４３２１３
【特許文献２】特開２００３−３８２２３号
【特許文献３】特開２００４−３４４５６５号
【特許文献４】実開  昭６４−４９１２３
【考案の概要】
【考案が解決しようとする課題】
【０００５】
これは、次のような欠点があった。
従来の蓋つき折りたたみボックス型小物入れは、カバンや服のポケット等の中に入れて持ち運んだりするため、小物入れを探し手に持つまでが手間であり、かつ両手を使って小物を出し入れするしかなく、片手ですばやく小物入れを扱うことができなかった。
【０００６】
バンドつきのボックスは、入れる小物の量にかかわらずボックスの大きさは固定で、常に装着して持ち運ぶには邪魔になる大きさだった。かつ入れる小物がボックスの中でぶつかり合って小物が型崩れしたりぶつかる音がしていた。
【０００７】
また、バンドつき財布は、中に残物が付着するような柔らかい小物を入れると、財布の中の残物をきれいに洗い流すことは難しく、型崩れする小物は入れることができなかった。
本考案は、以上のような欠点をなくすためになされたものである。
【課題を解決するための手段】
【０００８】
本考案は、四角形の底材（２）の４辺に互いに繋がった蓋材（３）、一対の側面材（４）および正面材（５）がそれぞれ一体に連結されており、蓋材（３）が底材（２）に対して起立した状態にあるときには一対の側面材（４）及び正面材（５）も底材（２）に対して起立した状態にあり、蓋材（３）を倒して底材（２）と平行に近づけるとそれにつられて一対の側面材（４）及び正面材（５）が側面材（４）の折り目に合わせて内側に折れ蓋材（３）と底材（２）の間に折りたたまり、蓋材（３）と正面材（５）が重なる面に１組の着脱具（６）をつけた蓋つき折りたたみボックス型小物入れ（１）の底材（２）外側に、１組の着脱具（７ａ）をつけたバンド（８ａ）からなる装着部体（１７）をつけたことを特徴とする装着可能な蓋つき折りたたみボックス型小物入れである。
【０００９】
装着部体（１７）に手または腕を入れるだけで蓋つき折りたたみボックス型小物入れ（１）が装着固定できるように、請求項１記載の蓋つき折りたたみボックス型小物入れ（１）の底材（２）外側に、装着部体（１７）として輪状バンド（９ａ）をつけたことを特徴とする装着可能な蓋つき折りたたみボックス型小物入れである。
【００１０】
装着部体（１７）を手にはめるだけで蓋つき折りたたみボックス型小物入れ（１）が装着固定できるように、請求項１記載の蓋つき折りたたみボックス型小物入れ（１）の底材（２）外側に、装着部体（１７）として手袋（１３）をつけたことを特徴とする装着可能な蓋つき折りたたみボックス型小物入れである。
【考案の効果】
【００１１】
蓋つき折りたたみボックス型小物入れにバンドまたは手袋の装着部体をつけ一体にすることで、手や腕等に装着可能になり、小物入れを探す必要がなく、小物入れから小物を片手ですばやく出し入れすることができ、他の作業を中断しなくても小物入れを扱えるようになった。
【００１２】
また、小物が入った量だけ膨らむコンパクトな蓋つき折りたたみボックス型小物入れなので、手や腕に装着しても邪魔にならなくなった。しかも、蓋材を閉じれば蓋材と一対の側面材と正面材で小物を中で動かないように固定することができ、小物がぶつかり合って小物が型崩れしたりぶつかる音は鳴らなくなった。
【００１３】
さらに、蓋を開けて起立した状態にすると小物入れを全開できるので、簡単に洗浄が可能になり、小物入れの中に残物が付着するような小物を入れても付着物をきれいに洗い流し清潔に保つことができる。
【図面の簡単な説明】
【００１４】
【図１】装着部体がバンドの実施例１を斜め下から見た斜視図
【図２】装着部体が輪状バンドの実施例２を斜め下から見た斜視図
【図３】装着部体が手袋の実施例３を斜め下から見た斜視図
【図４】装着部体を指が出る手袋にした実施例４を斜め下から見た斜視図
【図５】装着部体を穴あきバンドにした実施例５を斜め下から見た斜視図
【図６】装着部体を穴あき輪状バンドにした実施例６を斜め下から見た斜視図
【図７】装着部体を２本のバンドにした実施例７を斜め下から見た斜視図
【図８】装着部体を２本の輪状バンドにした実施例８を斜め下から見た斜視図
【図９】装着部体をバンドと輪状バンドの組み合わせにした実施例９を斜め下から見た斜視図
【図１０】蓋材と正面材につける１組の着脱具をホックにした実施例１０を斜め下から見た斜視図
【図１１】装着部体をバンドと可撓性のある弾性薄板で重ね合わせた実施例１１を斜め下から見た斜視図
【図１２】従来の蓋つき折りたたみボックス型小物入れの開蓋状態の斜視図
【図１３】従来の蓋つき折りたたみボックス型小物入れの閉蓋状態の側面図
【考案を実施するための形態】
【００１５】
以下、本考案の形態について説明する。
四角形の底材（２）の４辺に互いに繋がった蓋材（３）、一対の側面材（４）および正面材（５）がそれぞれ一体に連結されており、蓋材（３）と正面材（５）が重なる面に１組の着脱具（６）をつけた蓋つき折りたたみボックス型小物入れ（１）の底材（２）外側に、バンド（８ａ）（９ａ）または手袋（１３）の装着部体（１７）をつける。
本考案は、以上のような構造である。
【００１６】
この装着可能な蓋つき折りたたみボックス型小物入れの使い方は、装着部体（１７）で手または腕等に蓋つき折りたたみボックス型小物入れ（１）を装着固定し、蓋つき折りたたみボックス型小物入れ（１）から小物を出し入れするときは、蓋材（３）と正面材（５）につけた１組の着脱具（６）をはずし、蓋材（３）を底材（２）に対して起立させ蓋つき折りたたみボックス型小物入れ（１）から小物を出し入れする。蓋つき折りたたみボックス型小物入れ（１）の小物を出し入れが終わると蓋材（３）を倒して底材（２）と平行に近づけ、蓋材（３）と正面材（５）につけた１組の着脱具（６）で蓋材（３）を正面材（５）に固定する。
【実施例１】
【００１７】
図１の実施例は、蓋つき折りたたみボックス型小物入れ（１）の底材（２）外側につける装着部体（１７）の１組の着脱具（７ａ）を面ファスナーにした。蓋つき折りたたみボックス型小物入れ（１）の蓋材（３）と正面材（５）につける１組の着脱具を面ファスナーにした。
【実施例２】
【００１８】
図２の実施例は、蓋つき折りたたみボックス型小物入れ（１）の底材（２）外側につける装着部体（１７）として、輪状バンド（９ａ）にしたことで手を入れるだけで装着固定できるようにした。
【実施例３】
【００１９】
図３の実施例は、蓋つき折りたたみボックス型小物入れ（１）の底材（２）外側につける装着部体（１７）として、手袋（１３）にしたことで手にはめるだけで装着固定できるようにした。
【実施例４】
【００２０】
図４の実施例は、蓋つき折りたたみボックス型小物入れ（１）の底材（２）外側につける装着部体（１７）として、指が出る手袋（１４）にしてもいい。
【実施例５】
【００２１】
図５の実施例は、蓋つき折りたたみボックス型小物入れ（１）の底材（２）外側につける装着部体（１７）として、装着時に穴から親指を出すことができるように穴が開いている穴あきバンド（１０）にしてもいい。
【実施例６】
【００２２】
図６の実施例は、蓋つき折りたたみボックス型小物入れ（１）の底材（２）外側につける装着部体（１７）として、装着時に穴から親指を出すことができるように穴が開いている穴あき輪状バンド（１１）にしてもいい。
【実施例７】
【００２３】
図７の実施例は、蓋つき折りたたみボックス型小物入れ（１）の底材（２）外側につける装着部体（１７）として、バンド（８ｂ）を２本にしてもいい。
【実施例８】
【００２４】
図８の実施例は、蓋つき折りたたみボックス型小物入れ（１）の底材（２）外側につける装着部体（１７）として、輪状バンド（９ｂ）を２本にしてもいい。
【実施例９】
【００２５】
図９の実施例は、蓋つき折りたたみボックス型小物入れ（１）の底材（２）外側につける装着部体（１７）として、バンド（８ｂ）と輪状バンド（９ｂ）を組み合わせてもいい。
【実施例１０】
【００２６】
図１０の実施例は、蓋つき折りたたみボックス型小物入れ（１）の蓋材（３）と正面材（５）に１組の着脱具（１２）をホックにしてもいい。
【実施例１１】
【００２７】
図１１の実施例は、蓋つき折りたたみボックス型小物入れ（１）の底材（２）外側につける装着部体（１７）を、バンド（１８）と可撓性のある弾性薄板（１９）を重ね合わせることで、手または腕等にはめて装着固定ができる。
【符号の説明】
【００２８】
１  蓋つき折りたたみボックス型小物入れ
２  底材
３  蓋材
４  側面材
５  正面材
６  １組の着脱具
７ａ  １組の着脱具
７ｂ  １組の着脱具
８ａ  バンド
８ｂ  バンド
９ａ  輪状バンド
９ｂ  輪状バンド
１０  穴あきバンド
１１  穴あき輪状バンド
１２  １組の着脱具
１３  手袋
１４  指がでる手袋
１５  バンド
１６  １組の着脱具
１７  装着部体
１８  バンド
１９  弾性薄板
【図１】
0003200902.tif 000003
【図２】
0003200902.tif 000004
【図３】
0003200902.tif 000005
【図４】
0003200902.tif 000006
【図５】
0003200902.tif 000007
【図６】
0003200902.tif 000008
【図７】
0003200902.tif 000009
【図８】
0003200902.tif 000010
【図９】
0003200902.tif 000011
【図１０】
0003200902.tif 000012
【図１１】
0003200902.tif 000013
【図１２】
0003200902.tif 000014
【図１３】
0003200902.tif 000015